(57)【要約】      （修正有）【課題】ベル音アラームを用いた目覚まし時計に於いて、優しいベルアラーム音の目覚し時計を提供する。【解決手段】目覚し時計１００は、筐体１０１と、筐体１０１の外周面に形成される支持部６によって支持される一対の椀状の木製のベル１と、ベル１を打つように配置される木製のハンマー２と、筐体１０１内部に配置される時刻を掲示する計時部５と、アラーム設定時刻になったときにハンマー２を駆動させるモーター駆動機構とを有することを特徴とする。【選択図】図１
0003187156.tif 000002
【実用新案登録請求の範囲】
【請求項１】
筐体と、筐体の外周面に形成される支持部によって支持される一対の椀状の木製のベルと、ベルを打つように配置される木製のハンマーと、筐体内部に配置される時刻を掲示する計時部と、アラーム設定時刻になったときにハンマーを駆動させるモーター駆動機構とを有することを特徴とする、目覚し時計。
【請求項２】
前記ベルは、椀状の形状を有し、前記ベルの外周面にスリットが形成されている、請求項１に記載の目覚まし時計。
【請求項３】
前記ハンマーは前記ベルの外周面を打ち、前記ハンマーの打点と、前記ベル上のスリット形成点との間の中心角の大きさは、０&#12316;９０度の間である、請求項２に記載の目覚まし時計。
【請求項４】
前記ハンマーの打点と、前記ベル上のスリット形成点との間の中心角の大きさは、２０&#12316;４０度の間である、請求項３に記載の目覚まし時計。
【考案の詳細な説明】
【技術分野】
【０００１】
本考案は、時計に関し、より詳細には目覚まし時計に関するものである。
【背景技術】
【０００２】
一般に、目覚まし時計のアラーム音には、たとえばモーターの駆動力によりベルを打たせてベルの鳴動によって音を発するものと、あるいは電子音をスピーカーにより発音させたものが知られている。
【先行技術文献】
【特許文献】
【０００３】
【特許文献１】特開平８−２９２２７４号公報
【特許文献２】特願平１０−２８１８６０号公報
【特許文献３】特開２００１−３１１７８４号公報
【考案の概要】
【考案が解決しようとする課題】
【０００４】
しかしながら、従来の目覚まし時計でのベル音のアラームは、金属製のベルを金属製のハンマーで打つことにより生じさせており、人を起床させるためのものであり、音色についてはあまり考慮されていなかった。
【０００５】
本考案は、ベル音アラームを用いた目覚まし時計に於いて、優しいベルアラーム音の目覚し時計を提供することを目的とする。
【課題を解決するための手段】
【０００６】
本考案に係る目覚まし時計は、筐体と、筐体の外周面に形成される支持部によって支持される一対の椀状の木製のベルと、ベルを打つように配置される木製のハンマーと、筐体内部に配置される時刻を掲示する計時部と、アラーム設定時刻になったときにハンマーを駆動させるモーター駆動機構とを有することを特徴とする。
【０００７】
木製ハンマーは、木製のベルを打つので、今までにないベルアラーム音を生じさせることができる。
【０００８】
また、本考案に係る目覚まし時計では、ベルは椀状の形状を有し、ベルの外周面にスリットが形成されていることが好ましい。
【０００９】
ベルの外周にスリットが形成されているので、更に音色の良いアラーム音を生じさせることができ、湿気や乾燥による変形を吸収することができる。
【００１０】
また、本考案に係る目覚まし時計では、ハンマーは前記ベルの外周面を打ち、ハンマーの打点とベル上のスリット形成点との間の中心角の大きさは、０&#12316;９０度の間であることが好ましい。また、ハンマーの打点とベル上のスリット形成点との間の中心角の大きさは、２０&#12316;４０度の間であることが更に好ましい。
【００１１】
本考案の考案者は、ハンマーの打点とベル上のスリット形成点との間の中心角の大きさは、０&#12316;９０度の間であることが好ましいことを考案した。また、本考案の考案者は、ハンマーの打点とベル上のスリット形成点との間の中心角の大きさは、２０&#12316;４０度の間であることが更に好ましいということを考案した。より具体的には、本考案の考案者は、ハンマーの打点とベル上のスリット形成点との間の中心角の大きさは、約３０度であることが最も好ましいことを考案した。
【考案の効果】
【００１２】
本考案によって、優しいベルアラーム音の目覚し時計を提供することが可能になった。
【図面の簡単な説明】
【００１３】
【図１】本考案に係る目覚まし時計の正面図である。
【図２】本考案に係る目覚まし時計の背面図である。
【図３】（ａ）は図１に記載された目覚まし時計のベルの斜視図であり、（ｂ）は（ａ）に示すベルの側面図であり、（ｃ）は（ａ）に示すベルの平面図である
【考案を実施するための形態】
【００１４】
図１は本考案に係る目覚まし時計の正面図であり、図２は本考案に係る目覚まし時計の背面図である。
【００１５】
目覚まし時計は、筐体１０１と、筐体１０１の上部に配置される一対の支持部６と、一対の支持部６に固定される一対のベル１と、一対のベル１の間に配置されるハンマー２と、一対の支持部の上端で固定される取手４を有する。
【００１６】
筐体１０１は、正面に配置される時刻表示部５と、一対の脚部７と、背面にそれぞれ配置される現在時刻設定部８、アラーム時刻設定部９、電池収納部蓋１０及びアラームオンオフ部１１とを有する。また、筐体１０１の内部には、不図示の計時部、モーター駆動機構及びモーターが収納される。
【００１７】
図３（ａ）はベル１の斜視図であり、図３（ｂ）はベル１の側面図であり、図３（ｃ）はベル１の平面図である。
【００１８】
ベル１は、木製であり椀状の形状を有する。ベル１の外周面には一対のスリット３が形成され、ベル１の椀底面の中央部には支持部６が貫通する孔が形成されている。モーターが駆動するとハンマー２は、側面方向に往復運動して、一対のベル１を交互に打つ。ハンマー２が一対のベル１を打つことにより、ベル音が発せられる。
【００１９】
ハンマー２は、木製であり球状の形状を有する。ハンマー２は金属で形成される腕部の一端に固定され、ハンマー２を固定する腕部の他端はモーターに連動するカム機構に固定されている。一対のスリット３の一方と、ハンマー２の打点１２との間の中心角は３０度になるように配置されている。
【００２０】
取手４は、金属製でありナット等の締結部材を介して一対の支持部６に締結される。
【００２１】
時刻表示部５は、文字盤上にそれぞれ配置される時針，分針，秒針，アラーム針とを有する。時針，分針，秒針，アラーム針は、筐体１０１の内部に配置される通常の目覚し時計と同様な時計機械体により回転駆動され、時刻を示す。これらの前面は透明カバーにより覆われている。
【００２２】
一対の支持部６は、金属製であり、一端が筐体１０１に固定され、他端にベル１及び取手４が締結される。一対の脚部７は、金属製であり、一端が筐体１０１に固定され、筐体１０１の底部とともに筐体１０１が倒れることを防止する。
【００２３】
現在時刻設定部８は、計時部が計時した時刻が現在時刻とずれた場合に計時した時刻を現在時刻と一致させるときに回転される。アラーム時刻設定部８は、モーター駆動機構がモーターを駆動してハンマー２がベル１を打つ時刻を変更するときに回転される。
【００２４】
電池収納部蓋１０は、筐体１０１に形成される電池収納部の蓋である。電池収納部は、計時部、モーター駆動機構及びモーターを駆動するための単数又は複数の電池が配置される。
【００２５】
アラームオンオフ部１１は、アラーム針が示す時刻にモーター駆動機構がモーターを駆動するか否かを決定するスイッチである。アラームオンオフ部１１がオン状態のとき、アラーム針が示す時刻にモーター駆動機構がモーターを駆動する。アラームオンオフ部１１がオフ状態のとき、アラーム針が示す時刻になってもモーター駆動機構がモーターを駆動することはない。
【００２６】
筐体１０１は、内部に計時部、モーター駆動機構及びモーターが収納される空洞が形成される。
【００２７】
目覚まし時計１００は、木製のベル１を木製のハンマー２で打つことによりベル音が発せられるので、ベル音の音色を優しくすることが可能になった。また、ベル１の外周面には一対のスリット３が形成されているので、更に音色がよいベル音を生じさせることが可能になると共に、湿気や乾燥によるベル１の変形を吸収することが可能になった。一対のスリット３の一方と、ハンマー３の打点１２との間の中心角は３０度になるように配置されるので、更に音色がよいベル音を生じさせることが可能になった。
【００２８】
ベル１は、一対のスリット３が形成されているが、単一のスリット又は３つ以上のスリットが形成されていてもよい。また、一対のスリット３の一方と、ハンマー３の打点１２との間の中心角は３０度になるように配置されているが、一対のスリット３の一方と、ハンマー３の打点１２との間の中心角は０〜９０度の間であればよく、好ましくは２０〜４０度の間であればよい。
【符号の説明】
【００２９】
１  ベル
２  ハンマー
３  スリット
４  取手
５  時刻表示部
６  支持部
７  脚部
８  現在時刻設定部
９  アラーム時刻設定部
１０  電池収納部蓋
１１  アラームオンオフ部
１２  打点
１００  目覚まし時計
１０１  筐体
【図１】
0003187156.tif 000003
【図２】
0003187156.tif 000004
【図３】
0003187156.tif 000005
【手続補正書】
【提出日】平成25年9月12日(2013.9.12)
【手続補正１】
【補正対象書類名】明細書
【補正対象項目名】００１０
【補正方法】変更
【補正の内容】
【００１０】
また、本考案に係る目覚まし時計では、ハンマーは前記ベルの外周面を打ち、ハンマーの打点とベル上のスリット形成点との間の中心角の大きさは、０〜９０度の間であることが好ましい。また、ハンマーの打点とベル上のスリット形成点との間の中心角の大きさは、２０〜４０度の間であることが更に好ましい。
【手続補正２】
【補正対象書類名】明細書
【補正対象項目名】００１１
【補正方法】変更
【補正の内容】
【００１１】
本考案の考案者は、ハンマーの打点とベル上のスリット形成点との間の中心角の大きさは、０〜９０度の間であることが好ましいことを考案した。また、本考案の考案者は、ハンマーの打点とベル上のスリット形成点との間の中心角の大きさは、２０〜４０度の間であることが更に好ましいということを考案した。より具体的には、本考案の考案者は、ハンマーの打点とベル上のスリット形成点との間の中心角の大きさは、約３０度であることが最も好ましいことを考案した。
【手続補正３】
【補正対象書類名】実用新案登録請求の範囲
【補正対象項目名】請求項３
【補正方法】変更
【補正の内容】
【請求項３】
前記ハンマーは前記ベルの外周面を打ち、前記ハンマーの打点と、前記ベル上のスリット形成点との間の中心角の大きさは、０〜９０度の間である、請求項２に記載の目覚まし時計。
【手続補正４】
【補正対象書類名】実用新案登録請求の範囲
【補正対象項目名】請求項４
【補正方法】変更
【補正の内容】
【請求項４】
前記ハンマーの打点と、前記ベル上のスリット形成点との間の中心角の大きさは、２０〜４０度の間である、請求項３に記載の目覚まし時計。